(57)【要約】【課題】  人手を要しない簡単な作業で壁面に面格子を取付けて十分な強度で保持し、かつ、外観の向上を図る。【解決手段】  特定構造の取付具２０を用いて面格子１０の横桟１２を壁面３２に取付ける。取付具２０は、横桟１２の軸端をその軸方向外側から覆う外側板２２と、その横桟１２の端部を下から支える底板２４と、横桟１２の端部の位置を背後から位置決めする背板２６とを一体に有し、その外側板２２及び背板２６のいずれか一方が、前記壁面に取付けられる取付部２３を有している。【選択図】      図２
2006266016.tif 000002
【特許請求の範囲】
【請求項１】
横桟とこの横桟に対して略直交する姿勢で当該横桟の長手方向に配列される複数本の縦桟とをもつ面格子を壁面に取付けるための取付具であって、前記横桟の軸端をその軸方向外側から覆う外側板と、その横桟の端部を下から支える底板と、当該横桟の端部の位置を背後から位置決めする背板とを有し、これら外側板、底板、及び背板が相互に一体につながっているとともに、前記外側板及び背板のいずれか一方が、前記壁面に取付けられる取付部を有することを特徴とする面格子の取付具。
【請求項２】
請求項１記載の面格子の取付具において、前記外側板、底板、及び背板が単一の板材で構成されていることを特徴とする面格子の取付具。
【請求項３】
請求項２記載の面格子の取付具において、前記板材が、前記外側板と前記底板との境界部分、前記外側板と前記背板との境界部分、及び前記底板と前記背板との境界部分のうちの２つの境界部分でそれぞれ略直角に折り曲げられているとともに、残りの境界部分では当該境界部分を挟む２枚の板同士が一体に接合されていることを特徴とする面格子の取付具。
【請求項４】
請求項３記載の面格子の取付具において、前記板材が前記外側板と前記底板との境界部分、及び前記底板と前記背板との境界部分でそれぞれ略直角に折り曲げられているとともに、前記外側板と前記背板とが一体に接合されており、前記外側板は前記背板との接合箇所よりもさらに後方に延びる延長部を有し、この延長部の端部が前記取付部を構成していることを特徴とする面格子の取付具。
【請求項５】
請求項３記載の面格子の取付具において、前記外側板のうち前記背板よりも前側に位置する部分が前記取付部を構成していることを特徴とする面格子の取付具。
【請求項６】
横桟とこの横桟に対して略直交する姿勢で当該横桟の長手方向に配列される複数本の縦桟とをもつ面格子と、この面格子の横桟の両端部に配される請求項１〜５のいずれかに記載の面格子の取付具とを備え、これらの取付具を介して前記面格子の横桟の両端部が壁面に取付けられるように構成されていることを特徴とする面格子ユニット。
【請求項７】
横桟とこの横桟に対して略直交する姿勢で当該横桟の長手方向に配列される複数本の縦桟とをもつ面格子と、請求項４記載の面格子の取付具とを備え、これらの取付具を介して前記面格子の横桟の両端部が壁面と略平行な姿勢で当該壁面の前方に取付けられるように構成されていることを特徴とする面格子ユニット。
【請求項８】
横桟とこの横桟に対して略直交する姿勢で当該横桟の長手方向に配列される複数本の縦桟とをもつ面格子と、請求項５記載の面格子の取付具とを備え、前記面格子が相対向する壁面同士の間に位置する姿勢で当該面格子の横桟の両端部が前記各取付具を介して前記各壁面にそれぞれ取付けられるように構成されていることを特徴とする面格子ユニット。
【請求項９】
請求項６〜８のいずれかに記載の面格子ユニットを壁面に取付けるための施工方法であって、前記壁面に各取付具の取付部を取付ける工程と、各取付具の底板上に前記面格子の横桟の端部を載せ、かつ、当該取付具の背板により当該横桟の位置決めをして当該横桟の端部を前記取付具に結合する工程とを含むことを特徴とする面格子ユニットの取付施工方法。
【請求項１０】
請求項６〜８のいずれかに記載の面格子ユニットにおいて、前記面格子は、前記横桟と、一方向に延びる縦桟保持部材に当該縦桟保持部材と略直交する姿勢で複数本の前記縦桟が配列されて当該縦桟保持部材に接合された縦桟ユニットとを含み、この縦桟ユニットの縦桟保持部材が前記横桟に対してその長手方向に沿う姿勢で当該横桟に結合可能な形状を有することを特徴とする面格子ユニット。
【請求項１１】
請求項１０記載の面格子ユニットにおいて、前記縦桟ユニットが複数のユニットに分割されており、これらの縦桟ユニットが前記横桟の長手方向に並んだ状態で当該横桟に前記各縦桟ユニットの縦桟保持部材が結合可能となるように構成されていることを特徴とする面格子ユニット。
【請求項１２】
請求項１０または１１記載の面格子ユニットにおいて、前記縦桟保持部材は、前記横桟に対して上側から当接する天板部と前記横桟に対して前側から当接する前板部とを一体に有し、その前板部に前記各縦桟が接合されていることを特徴とする面格子ユニット。
【請求項１３】
請求項１０〜１２のいずれかに記載の面格子ユニットを壁面に取付けるための施工方法であって、前記壁面に各取付具の取付部を取付ける工程と、各取付具の底板上に前記横桟の端部を載せ、かつ、当該取付具の背板により当該横桟の位置決めをして当該横桟の端部を前記取付具に結合する工程と、当該横桟と取付具との結合後に当該横桟に前記面格子ユニットの縦桟保持部材を結合する工程とを含むことを特徴とする面格子ユニットの取付施工方法。
【発明の詳細な説明】
【技術分野】
【０００１】
本発明は、建築物の壁面に縦桟及び横桟を有する面格子を取付けるための技術に関するものである。
【背景技術】
【０００２】
従来、横桟及び縦桟を有する面格子を壁面に取付けるための構造として、特許文献１に記載されるものが知られている。この構造は、前記面格子の横桟が壁面と略平行となる状態で当該横桟を取付金具を介して壁面側に連結するものであり、この取付金具は、その一方の端部が前記横桟の背面にねじで固定されるとともに、他方の端部が壁面に固定されるようになっている。
【特許文献１】実開昭６２−５２６８７号マイクロフィルム
【発明の開示】
【発明が解決しようとする課題】
【０００３】
前記特許文献１に記載された取付構造では、取付金具を介して面格子を壁面に取付ける作業の間、その取付け高さ位置に面格子を保持して静止させておかなければならず、作業者の負担が大きい。特に、面格子の総重量が大きいほど、作業は難しくなり、人手を要することになる。また、当該面格子の重量に抗して長期にわたり十分な支持をするためには、取付金具にも十分な強度が必要であり、その確保も課題となる。
【０００４】
さらに、横桟の両端部が露出することになるため、当該横桟の両端部には外観向上のための処理が必要となる。特に、当該横桟にパイプ材が使われる場合、その軸端は開放された状態にあるので、何ら処理をしていないと横桟内部にゴミや虫等の異物が侵入しやすく、よって当該横桟の端部にキャップを嵌める等の特別な手当てを要する場合も多い。
【０００５】
本発明は、このような事情に鑑み、多くの人手を要しない簡単な作業で壁面に面格子を取付け、かつ、この面格子を十分な強度で保持することを可能にする技術の提供を目的とする。
【課題を解決するための手段】
【０００６】
前記課題を解決するための手段として、本発明は、横桟とこの横桟に対して略直交する姿勢で当該横桟の長手方向に配列される複数本の縦桟とをもつ面格子を壁面に取付けるための取付具であって、前記横桟の軸端をその軸方向外側から覆う外側板と、その横桟の端部を下から支える底板と、当該横桟の端部の位置を背後から位置決めする背板とを有し、これら外側板、底板、及び背板が相互に一体につながっているとともに、前記外側板及び背板のいずれか一方が、前記壁面に取付けられる取付部を有するものである。
【０００７】
また本発明は、前記横桟及び縦桟を有する面格子と、前記構成の取付具とを備え、これらの取付具を介して前記面格子の横桟の両端部が壁面に取付けられるように構成されている面格子ユニットである。
【０００８】
また本発明は、前記壁面に前記各取付具の取付部を取付ける工程と、前記各取付具の底板上に前記面格子の横桟の端部を載せ、かつ、当該取付具の背板により当該横桟の位置決めをして当該横桟の端部を前記取付具に結合する工程とを含む面格子の取付施工方法である。
【０００９】
以上のような構成によれば、予め壁面に面格子の取付具を取付けておき、その底板に面格子の横桟を載せた状態で当該横桟と取付具との結合作業をすることにより、前記横桟の自重の少なくとも一部を前記取付具の底板に預けながら当該取付具に当該横桟を結合することができる。すなわち、取付具と横桟との結合作業中、作業者は前記横桟の自重を１００％支える必要がなく、その分作業者の負担が軽減され、簡単な作業で面格子を取付けることが可能になる。
【００１０】
しかも、前記底板は前記外側板及び背板の双方に一体につながっており、かつ、当該外側板と背板同士もつながっているため、前記外側板及び背板の一方が他方と前記底板との境界部分の変形や破損を抑止する補強部材として機能することとなり、これによって十分な強度を確保することが可能になる。
【００１１】
また、その取付状態で取付具の外側板が横桟の軸方向端部を外側から覆うため、当該端部に外観等の関係から特別な処理を施す必要もない。
【００１２】
前記取付具では、その外側板、底板、及び背板をそれぞれ別の板材で構成して相互接合するようにしてもよいが、当該取付具全体を単一の板材で構成することにより、構造の簡素化及び強度のさらなる向上を図ることができる。
【００１３】
具体的には、前記板材が、前記外側板と底板との境界部分、前記外側板と背板との境界部分、及び前記底板と前記背板との境界部分のうちの２つの境界部分でそれぞれ略直角に折り曲げられているとともに、残りの境界部分では当該境界部分を挟む２枚の板同士が一体に接合されているものが、好適である。
【００１４】
この構成によれば、２つの境界部分が単一の板材の折り曲げにより形成されているので、より強度に優れたものになる。
【００１５】
ここで、前記板材が前記外側板と底板との境界部分及び前記底板と前記背板との境界部分でそれぞれ略直角に折り曲げられているとともに、前記外側板と前記背板とが一体に接合されており、前記外側板は前記背板との接合箇所よりもさらに後方に延びる延長部を有し、この延長部の端部が前記取付部を構成している取付具とすれば、これらの取付具を介して前記面格子の横桟の両端部が壁面と略平行となる姿勢で当該壁面の前方に面格子を取付けることが可能になる。
【００１６】
また、前記外側板のうち前記背板よりも前側に位置する部分が前記取付部を構成している取付具とすれば、前記面格子が相対向する壁面同士の間に位置する姿勢で当該面格子の横桟の両端部を前記各取付具を介して前記各壁面にそれぞれ取付けることができる。しかも、前記取付部は前記外側板のうち前記背板よりも前側に位置する部分により構成されているので、壁面上における外側板の占有面積を小さく抑えることができ、コンパクトな構造で面格子を取付けることが可能になる。
【００１７】
前記面格子は、その横桟と縦桟とが一体に接合されたものでもよいが、当該横桟と、一方向に延びる縦桟保持部材に当該縦桟保持部材と略直交する姿勢で複数本の前記縦桟が配列されて当該縦桟保持部材に接合された縦桟ユニットとを含み、この縦桟ユニットの縦桟保持部材が前記横桟に対してその長手方向に沿う姿勢で当該横桟に結合可能な形状を有するものが、より好ましい。
【００１８】
この構成によれば、前記壁面に各取付具の取付部を取付け、その取付具と横桟とを結合した後に、当該横桟に前記面格子ユニットの縦桟保持部材を結合することによって、前記取付具に対して前記横桟と縦桟の双方を含む面格子全体をいきなり結合する場合に比べ、作業者の負担をより軽減することができる。すなわち、前記面格子の横桟と縦桟ユニットとを分離しておいて横桟のみを先行して前記取付具に結合する方法を行うことにより、その結合作業をより容易なものにすることができる。
【００１９】
さらに、前記縦桟ユニットが複数のユニットに分割されており、これらの縦桟ユニットが前記横桟の長手方向に並んだ状態で当該横桟に前記各縦桟ユニットの縦桟保持部材が結合可能な構成とすれば、前記縦桟ユニットの分割によって当該ユニットも軽量化することが可能になり、その取扱いはより容易になる。
【００２０】
また、前記縦桟保持部材としては、前記横桟に対して上側から当接する天板部と前記横桟に対して前側から当接する前板部とを一体に有し、その前板部に前記各縦桟が接合されているものが、好適である。この構成によれば、前記横桟に対して手前上方の位置から縦桟保持部材を載せるようにして当該縦桟保持部材を前記横桟に容易に嵌合することができ、この嵌合状態で当該縦桟保持部材と前記横桟との結合作業を行うことができる。
【発明の効果】
【００２１】
以上のように、本発明によれば、壁面に面格子の取付具を取付けておき、その底板に面格子の横桟を載せた状態で当該横桟と取付具との結合作業をすることにより、多くの人手を要しない簡単な作業で面格子を取付けることができる。また、その取付状態で取付具の外側板が横桟の軸方向端部を外側から覆うため、当該端部に外観等の関係から特別な処理を施す必要もない。
【発明を実施するための最良の形態】
【００２２】
本発明の第１の実施の形態を図１〜図４に基づいて説明する。
【００２３】
図１（ａ）（ｂ）は、この実施の形態に係る面格子１０を示したものである。この面格子１０は、互いに平行に配置される上下一対の横桟１２と、これらの横桟１２に取付けられる左右一対の縦桟ユニット１４とで構成され、前記横桟１２の軸方向（左右方向）の両端部が図２〜図４に示す取付具２０を介して窓３０の前方に当該窓３０と平行な姿勢で取付けられるようになっている。
【００２４】
前記各横桟１２は、図例では縦長矩形の中空断面をもつ角パイプで構成され、略水平な姿勢で後述のように壁面に取付けられるようになっている。
【００２５】
各縦桟ユニット１４は、前記各横桟１２に対応する上下一対の縦桟保持部材１６と、これらの縦桟保持部材１６により保持される多数本の縦桟１８とで構成されている。
【００２６】
前記各縦桟保持部材１６は、前記横桟１２に沿って延び、かつ、当該横桟１２に対して嵌合可能な形状を有している。図例では、水平面を形成する天板部１６ａと、この天板部１６ａの前端から垂下する前板部１６ｂとを一体に有するアングル材で構成され、図２（ｃ）（ｄ）に示すように、前記天板部１６ａが前記横桟１２の上面１２ａに当接し、前記前板部１６ｂが前記横桟１２の前面１２ｂに当接するようにして当該横桟１２に前記縦桟保持部材１６が嵌合するようになっている。
【００２７】
前記各縦桟１８は、前記縦桟保持部材１６に対して略直交する方向（縦方向）に向く姿勢で当該縦桟保持部材１６の長手方向に沿って配列され、当該縦桟１８の上下の適当な部位が前記縦桟保持部材１６の前側面にねじや溶接等の手段で接合されている。
【００２８】
従って、共通の横桟１２の左右各領域に各縦桟ユニット１４の縦桟保持部材１６を嵌合し、ねじ等で固定することにより、当該横桟１２の長手方向に沿って多数の縦桟１８が配列された状態になるように面格子１０が構成されている。
【００２９】
次に、この面格子１０を取付けるための構造を図２〜図４を参照しながら説明する。この実施の形態では、建築物の窓３０の左右両外側に位置する壁面３２に左右の取付具２０を介して前記面格子１０の横桟１２の軸方向（左右方向）両端部がそれぞれ取付けられるようになっている。
【００３０】
前記各取付具２０は、単一の板材（例えば鉄鋼材料やアルミニウム合金等からなる金属板）を適当な形状に打ち抜き、これを曲げ加工することにより成形されており、具体的には、外側板２２と、底板２４と、背板２６とを一体に有している。
【００３１】
外側板２２は、前記壁面３２から前方に延びる姿勢で配置されるものであり、その後端部は左右方向の内側に略直角に折り曲げられることにより取付部２３を構成している。この取付部２３では、取付具固定用のねじ３３を挿通するためのねじ挿通孔２３ａが上下位置に穿設されている。また、この外側板２２は前記横桟１２の軸端をその軸方向外側から覆うのに十分な高さ寸法を有している。
【００３２】
なお、前記取付部２３は左右方向の外側に折り曲げるようにしてもよいが、図示のように内側に折り曲げれば、面格子１０の設置後に当該面格子１０が前記取付部２３を表側から覆う状態となるので、この取付部２３を壁面３２から取外す作業が難しくなり、その分防犯効果が高まることになる。
【００３３】
前記底板２４は、前記外側板２２の前端部の下端から左右方向の内向きに延び、かつ、前記横桟１２を下から支えるのに十分な奥行き寸法を有している。また、この底板２４の左右２箇所には、この底板２４に前記横桟１２を締結するための固定用ねじ３４が挿通可能なねじ挿通孔２４ａが穿設されている。
【００３４】
前記背板２６は、前記底板２４の後端において前記外側板２２寄りの位置から上方に突出している。図例では、前記外側板２２に対向する垂直面と略４５°の傾斜面とをもつ正面視略直角三角形状に形成されており、前記垂直面が溶接等で前記外側板２２の内側面に一体に接合されている。この背板２６は、前記横桟１２に対して背後から当接することにより当該横桟１２の前後方向の位置決めをするとともに、当該横桟１２を含む面格子１０の自重によって前記外側板２２と底板２４とのなす角度（正規には直角）が開いてしまうのを防ぐリブとしての役目も担っている。
【００３５】
従って、前記外側板２２は、前記背板２６よりもさらに後方に延びる延長部２２ａを有するものとなっており、この延長部２２ａの後端部が内向きに折り曲げられて前記取付部２３を形成する形状となっている。
【００３６】
この取付具２０は、前記取付部２３を含む外側板２２、底板２４、及び背板２６を展開した形状に前記板材を打ち抜き、その外側板２２と底板２４との境界部分、及び、底板２４と背板２６との境界部分を直角またはそれに近い角度まで内向きに折り曲げた後、その背板２６と外側板２２とを溶接等で接合することにより成形することができる。
【００３７】
次に、この取付具２０を用いた面格子１０の取付施工方法を説明する。
【００３８】
１）取付具取付工程（図２（ａ），図３（ａ））
まず、左右の取付具２０を窓３０の左右両脇の壁面３２に固定する。具体的には、各取付具２０の取付部２３を壁面３２上の正規の取付位置に位置決めし、その位置で前記取付部２３の各ねじ挿通孔２３ａに前側から固定用ねじ３３を挿通して前記壁面３２を形成する建材にねじ込むことにより、当該壁面３２上に取付部２３を固定する。これにより、各取付具２０は、その外側板２２が壁面３２から前方に立直する姿勢で当該壁面３２に据付けられた状態となる。
【００３９】
２）横桟結合工程（図２（ｂ），図４（ａ））
前記各取付具２０に横桟１２の各端部を結合する。具体的には、当該取付具２０の底板２４の上に横桟１２の端部を載せ、かつ、その背面を背板２６に当てることにより前後方向の位置決めをしながら、底板２４に設けられたねじ挿通孔２４ａに下から固定用ねじ３４を挿通して横桟１２側に設けられた図略のねじ孔にねじ込むことにより、当該底板２４と横桟１２とを締結する。
【００４０】
この作業中、横桟１２は底板２４により下から支持された状態にあるため、当該横桟１２の自重の１００％を作業者が支えておく必要がなく、その負担は従来工法に比して大幅に軽減される。
【００４１】
特に、この実施の形態では、面格子１０を構成する横桟１２が縦桟ユニット１４から分離されている状態で当該横桟１２のみを単独で取付具２０に結合することが可能であるため、縦桟１８も含む面格子１０全体を一度に取付具２０に取付ける場合に比べて、作業者の負担はさらに軽減されることになる。
【００４２】
また、横桟１２と取付具２０との結合が完了した状態では、当該横桟１２の軸端が外側板２２によって軸方向外側から覆われた状態になるため、例えば図示のように横桟１２が角パイプからなるようなものであつても、その端面処理を施すことなく良好な外観を確保することができる。
【００４３】
３）縦桟取付工程（図２（ｃ）（ｄ），図３（ｂ）（ｃ），図４（ｂ）（ｃ））
左右の縦桟ユニット１４を横桟１２に沿って並べた状態で、各縦桟ユニット１４の縦桟保持部材１６を前記各横桟１２に沿わせながら当該横桟１２に嵌合して固定する。具体的には、前記横桟１２の手前上方から縦桟保持部材１６の天板１６ａ及び前板１６ｂをそれぞれ横桟１２の上面１２ａ及び前面１２ｂにそれぞれ当接させるようにして前記嵌合を行い、その状態で固定用ねじ１７等により縦桟保持部材１６と横桟１２とを結合して面格子１０を完成する。これにより、面格子１０はその横桟１２が前記壁面３２と略平行となる姿勢で当該壁面３２に取付けられることとなる。
【００４４】
この状態で、取付具２０には面格子１０の総重量が加わることになるが、この取付具２０は、その外側板２２、底板２４、及び背板２６が互いに一体化されたものであるのに加え、その外側板２２が前記底板２４と前記背板２６との曲げ角度を保持する補強部材を兼ね、また、前記背板２６が前記外側板２２と前記底板２４との曲げ角度を保持する補強部材を兼ねる合理的な構造となっているため、面格子１０の総重量が比較的大きい場合でも取付具２０の経時的な変形を抑制して長期にわたり面格子１０を良好な状態で支持することが可能になる。
【００４５】
次に、本発明の第２の実施の形態を図５及び図６を参照しながら説明する。なお、この第２の実施の形態は、相対向する壁面３２同士の間に面格子１０を配置するものであるが、当該面格子１０自体の構造は前記第１の実施の形態と同等であるため、その説明を省略する。
【００４６】
この実施の形態に係る取付具２０も、単一の金属板を適当な形状に打ち抜き、これを曲げ加工することにより成形されており、外側板２２と、底板２４と、背板２６とを一体に有している。
【００４７】
外側板２２は、前記壁面３２上に密着状態で固定される取付部を兼ねるものであり、この外側板２２において前記背板２６よりも前側の箇所に、取付具固定用ねじ３３を挿通するためのねじ挿通孔２２ａが穿設されている。従って、この外側板２２は前記第１の実施の形態に係る外側板２２の延長部２２ｂが省略された形状となっている。
【００４８】
また、この実施の形態に係る外側板２２も前記横桟１２の軸端をその軸方向外側から覆うのに十分な高さ寸法を有している。
【００４９】
前記背板２６は、前記外側板２２の後端から左右方向の内向きに延びており、その上下２箇所に横桟締結用の固定用ねじ３４を挿通するためのねじ挿通孔２６ａが穿設されている。
【００５０】
前記底板２４は、前記背板２６の下端から前方に突出し、その外側端が溶接等で前記外側板２２の下端に一体に接合されている。
【００５１】
この取付具２０も、前記外側板２２、底板２４、及び背板２６を展開した形状に前記金属板を打ち抜き、その外側板２２と背板２６との境界部分及び底板２４と背板２６との境界部分を直角またはそれに近い角度まで折り曲げて、当該底板２４と外側板２２とを溶接等で接合することにより、成形することができる。
【００５２】
次に、この取付具２０を用いた面格子１０の取付施工方法を説明する。
【００５３】
１）取付具取付工程（図５（ａ））
まず、左右の取付具２０を互いに対向する左右の壁面３２に固定する。具体的には、各取付具２０の外側板２２を壁面３２上の正規の取付位置に位置決めし、その位置で前記外側板２２の各ねじ挿通孔２２ａに左右方向の内側（壁面３２の手前側）から固定用ねじ３３を挿通して前記壁面３２を形成する建材にねじ込むことにより、当該壁面３２上に外側板２２を固定する。
【００５４】
この工程により、各取付具２０は、その底板２４及び背板２６が壁面３２から左右方向内向きに立直した状態で当該壁面３２に据付けられた状態となる。また、外側板２２のねじ挿通孔２２ａは前記背板２６よりも前側の位置に設けられているので、壁面３２における外側板２２の占有面積は小さく、よってコンパクトな構造で面格子１０の取付が可能である。
【００５５】
２）横桟結合工程（図５（ｂ），図６（ａ））
前記各取付具２０に横桟１２の各端部を結合する。具体的には、当該取付具２０の底板２４の上に横桟１２の端部を載せ、かつ、その背面を背板２６に当てることにより横桟１２の前後方向の位置決めをしながら、当該背板２６に設けられたねじ挿通孔２６ａに裏側から固定用ねじ３４を挿通して横桟１２側に設けられた図略のねじ孔にねじ込むことにより、当該背板２６と横桟１２とを締結する。また、図示のように壁面３２の間に方立３６が配置されている場合には、この方立３６にも固定用ねじ３８等で横桟１２の中間部を締結する。
【００５６】
この実施の形態でも、作業中、横桟１２は底板２４により下から支持された状態にあるため、その自重を１００％作業者が支えておく必要がなく、その負担は大幅に軽減される。また、結合が完了した状態では横桟１２の軸端が外側板２２によって軸方向外側から覆われた状態になるため、前記第１の実施の形態と同様に良好な外観を確保することができる。
【００５７】
３）縦桟取付工程（図５（ｃ）（ｄ），図６（ｂ）（ｃ））
前記第１の実施の形態と全く同様にして横桟１２に左右の縦桟ユニット１４の縦桟保持部材１６を結合することにより面格子１０を完成する。
【００５８】
この第２の実施の形態に係る取付具２０も、その外側板２２、底板２４、及び背板２６が互いに一体化されているため、外側板２２が底板２４と背板２６との曲げ角度を保持する補強部材を兼ね、また、背板２６が外側板２２と底板２４との接合部分の補強部材を兼ねる合理的な構造となっており、面格子１０の総重量が比較的大きい場合でも取付具２０の経時的な変形を抑制して長期にわたり面格子１０を良好な状態で支持することが可能になる。
【００５９】
なお、本発明の取付具２０が適用される面格子１０の具体的な構造は特に問わない。例えば、横桟１２に直接縦桟１８が接合されて全体が一体化された面格子１０の取付にも前記取付具２０を適用できることはいうまでもない。また、面格子１０を横桟１２と縦桟ユニット１４とに分離可能とする場合でも、縦桟ユニット１４の具体的な構成は特に問わず、縦桟保持部材１６の形状も適宜設定可能である。例えば、図示の縦桟保持部材１６における天板部１６ａを省略して前板部１６ｂのみとし、この前板部１６の適所に前記横桟１２と接合可能なブラケットを局所的に設けた構造としてもよい。
【００６０】
また、取付具２０自体の形状及び構造も適宜設定が可能であり、例として次のような態様をとることも可能である。
【００６１】
ａ）前記第１の実施の形態および第２の実施の形態では、外側板２２に壁面３２への取付部が設けられているが、この取付部は背板２６側に設けられていてもよい。例えば、背板２６に穿設したねじ挿通孔に固定用ねじを手前側から挿通して壁面にねじ込むようにすればよい。その場合、当該固定用ねじの頭部が背板２６から手前側に突出することになるが、その突出部分に横桟１２を前側から当接させることによっても当該横桟１２の前後方向の位置決めをすることが可能になる。すなわち、本発明において背板２６は必ずしも横桟１２に対して直接当接するものに限らず、この背板２６と横桟１２との間に介在する固定用ねじの頭部やその他のスペーサ等によって当該横桟１２の位置決めをするものであってもよい。
【００６２】
ｂ）本発明に係る取付具は、必ずしも単一の板材で全体が形成されるものに限らず、例えば外側板、底板、及び背板をそれぞれ別の板材で成形して相互に接合するようにしてもよい。また、単一の板材で形成する場合でも、その構造は図示のものに限らず、例えば、外側板２２と底板２４及び背板２６とが一体になるように板材を打ち抜いて曲げ加工し、底板２４と背板２６とを溶接等で接合するようにしてもよい。
【図面の簡単な説明】
【００６３】
【図１】（ａ）は本発明の第１の実施の形態に係る面格子の全体正面図、（ｂ）はその全体側面図である。
【図２】（ａ）〜（ｄ）は前記面格子を取付具を介して壁面に取付ける工程を示す斜視図である。
【図３】（ａ）〜（ｃ）は前記面格子を前記取付具を介して壁面に取付ける工程を示す断面平面図である。
【図４】（ａ）〜（ｃ）は前記面格子を前記取付具を介して壁面に取付ける工程を示す断面側面図である。
【図５】（ａ）〜（ｄ）は本発明の第２の実施の形態において面格子を取付具を介して壁面に取付ける工程を示す斜視図である。
【図６】（ａ）〜（ｃ）は前記第２の実施の形態において面格子を取付具を介して壁面に取付ける工程を示す断面平面図である。
【符号の説明】
【００６４】
１０    面格子
１２    横桟
１４    縦桟ユニット
１６    縦桟保持部材
１８    縦桟
２０    取付具
２２    外側板
２２ｂ  延長部
２３    取付部
２４    底板
２６    背板
３０    窓
３２    壁面
【図１】
2006266016.tif 000003
【図２】
2006266016.tif 000004
【図３】
2006266016.tif 000005
【図４】
2006266016.tif 000006
【図５】
2006266016.tif 000007
【図６】
2006266016.tif 000008